(57)【要約】【課題】仕様の違いによる防音性遮音性の違いを実生活の行動に結びつけて体感することができる騒音体験装置を提供する。【解決手段】体験室２と、開口１０を介して体験室２と連通する騒音発生室３と、体験室２の上に二種類の床４１、４２が形成された二階室４とを具備し、体験室２のテレビ２３を見ながら二種類の界壁５、６を開口１０にそれぞれ交代で取り付けて騒音発生室３で騒音を発生させることで、界壁５、６の違いによる体験室２の騒音の違いを把握でき、二階室４に設けたロボット７の様子を体験室２のテレビ２３でモニターしながら、二階室４の二種類の床４１、４２がロボット７によって踏みつけられることによる体験室２の騒音の違いを把握できるようになされた騒音体験装置１である。【選択図】  図１
2004226705.tif 000002
【特許請求の範囲】
【請求項１】
周りの壁面が防音構造となされ、一つの壁面に開口が設けられた体験室と、
開口を介して体験室と連通するようになされた騒音発生室と、
体験室の上に設けられ、半分が最新床仕様、残りの半分が在来床仕様となされた二種類の床が形成された二階室とを具備し、
体験室には、二階室の様子をモニターできるようになされたテレビが設けられ、
騒音発生室には、騒音発生手段と、開口を密閉する最新仕様および在来仕様の二種類の界壁と、これら界壁を移動させ、必要に応じて何れか一方の界壁を開口に取り付けるようになされた取付手段とが設けられ、
二階室には、レール下を人間を模したロボットが移動するように設けられ、このロボットが、レール下を移動する過程で二階室の二種類の床を踏みつけるようになされ、
体験室でテレビを見ながら二種類の界壁を開口にそれぞれ交代で取り付けて騒音発生室で騒音を発生させることで、界壁の違いによる体験室の騒音の違いを把握できるようになされるとともに、
二階室でのロボットの様子を体験室のテレビでモニターしながら、二階室の二種類の床が踏みつけられることによる体験室の騒音の違いを把握できるようになされたことを特徴とする騒音体験装置。
【発明の詳細な説明】
【０００１】
【発明の属する技術分野】
本発明は、界壁、床などの住宅における各部の仕様の違いによる騒音の防音遮音状態を体験する装置に関するものである。
【０００２】
【従来の技術】
工業化住宅では、各部の仕様が多種多用にわたっており、これら仕様の違いによって、住宅の防音性や遮音性などが異なってくる。したがって、これらの仕様の違いは、測定データなどの数値によって対比できるようにカタログに記載されていた。
【０００３】
しかし、家を建てる者にとっては、数値を見ても実際にどのような状態に仕上がるかといったことが判らない。また、展示住宅などで実際の仕上がり具合を確認できるようになされているが、出来上がった家が、他の仕様の家よりも優れているといったことを、同条件で比較することができない。
【０００４】
そこで、従来より、体験室周りに異なった仕様の床や排水管を設け、各仕様の違いによる騒音の差を体感できるようになされた体験装置が提案されていた（特許文献１参照）。
【０００５】
【特許文献１】
特開平１１−２１２４４１号公報
【０００６】
【発明が解決しようとする課題】
しかし、上記従来の体験装置の場合、各仕様の違いによる騒音の差を体感できるようになされてはいるが、その騒音自体が実生活でどのようなことをした場合に相当する騒音であるかといったことや、騒音の差が実生活でどのようなことをしている場合に影響があるものかといったことが理解できない。
【０００７】
本発明は、係る実情に鑑みてなされたものであって、仕様の違いによる防音性遮音性の違いを実生活の行動に結びつけて体感することができる騒音体験装置を提供することを目的としている。
【０００８】
【課題を解決するための手段】
上記課題を解決するための本発明の騒音体験装置は、周りの壁面が防音構造となされ、一つの壁面に開口が設けられた体験室と、開口を介して体験室と連通するようになされた騒音発生室と、体験室の上に設けられ、半分が最新床仕様、残りの半分が在来床仕様となされた二種類の床が形成された二階室とを具備し、体験室には、二階室の様子をモニターできるようになされたテレビが設けられ、騒音発生室には、騒音発生手段と、開口を密閉する最新仕様および在来仕様の二種類の界壁と、これら界壁を移動させ、必要に応じて何れか一方の界壁を開口に取り付けるようになされた取付手段とが設けられ、二階室には、レール下を人間を模したロボットが移動するように設けられ、このロボットが、レール下を移動する過程で二階室の二種類の床を踏みつけるようになされ、体験室でテレビを見ながら二種類の界壁を開口にそれぞれ交代で取り付けて騒音発生室で騒音を発生させることで、界壁の違いによる体験室の騒音の違いを把握できるようになされるとともに、二階室でのロボットの様子を体験室のテレビでモニターしながら、二階室の二種類の床が踏みつけられることによる体験室の騒音の違いを把握できるようになされたものである。
【０００９】
【発明の実施の形態】
以下、本発明の実施の形態を図面を参照して説明する。
【００１０】
図１および図２は騒音体験装置１の全体構成の概略を示している。
【００１１】
すなわち、この騒音体験装置１は、体験室２と、この体験室２に隣接して設けられた騒音発生室３と、体験室２の上に設けられた二階室４とを具備して構成されている。
【００１２】
体験室２は、アパートの一室を想定しており、周りの壁面が防音壁２１によって囲まれている。このうち、騒音発生室３と隣接する一つの壁面２１には、体験室２と騒音発生室３との間を連通する開口１０が設けられている。また、この開口１０が設けられた壁面２１以外の他の壁面２１には、この体験室２への出入口となる防音ドア２２が設けられている。この体験室２には、テレビ２３と、被験者用の座席２４と、全体の制御装置２５とが設けられている。テレビ２３は、通常のテレビ放送と、二階室４の様子を映すモニターとに切り替え可能となされている。
【００１３】
騒音発生室３は、体験室２に隣接するアパートの隣室を想定しており、大音量で音楽を奏でる電子ピアノ３１が設けられている。また、騒音発生室３内には、異なった二種類の界壁５、６を開口１０に取り付けるための取付装置３０が設けられている。この取付装置３０は、騒音発生室３内の床および天井付近に、開口１０の前を同じ軌跡で通過するように設けられた下レール３２および上レール３３と、これら下レール３２と上レール３３との間に設けられ、これら下レール３２および上レール３３に沿って移動する一対のフレーム３４とによって構成されている。これらフレーム３４には、異なった仕様の二種類の界壁５、６が設けられる。
【００１４】
一方の界壁５は、図５（ａ）に示すように、在来木造住宅の界壁５であって、通常の内壁枠よりも幅広く形成された枠体５１の内部に断熱材５２を設け、その両面に合板５３を貼設して構成されている。
【００１５】
他方の界壁６は、図５（ｂ）に示すように、防音界壁６であって、石膏ボード６１を二枚貼設した金属製枠体６２と、同じく石膏ボード６１を貼設した金属製枠体６２との間に間隙が設けられ、これら間隙を縫う様に断熱材６３を設けて構成されている。
【００１６】
これらの界壁５、６は、フレーム３４に、シリンダ３５を介して設けられ、フレーム３４面から前後に進退することができるようになされている。フレーム３４は、下端部に設けたローラ３６によって下レール３２の上を滑動するようになされており、このフレーム３４の下端部に同じく設けられたモータ３７のプーリー３７ａが、下レール３２から延設された当接面３８に当接しながら回動することで、下レール３２に沿って移動できるようになされている。フレーム３４の上端部には、ガイドローラ３９が設けられ、このガイドローラ３９が、上フレーム３３に設けられた溝部３３ａに嵌まり込んで溝部３３ａに案内されることで、フレーム３４は、上レール３３に沿って移動する。
【００１７】
これにより界壁５、６は、いずれか一方のフレーム３４が開口１０の正面に位置した状態でシリンダ３５が作動することで、このフレーム３４に取り付けられた界壁５、６がフレーム３４から前進して開口１０を閉じることができるようになされている。また、この開口１０を閉じた状態からシリンダ３５が作動することで、このフレーム３４に取り付けられた界壁５、６がフレーム３４から後退して開口１０を開けるようになされている。
【００１８】
二階室４は、体験室２の真上に位置するように設けられている。この二階室４は、床の半分がコンクリート床４１、残りの半分が在来の木根太床４２となされている。コンクリート床４１は、鉄骨材４３上にＡＬＣ板４４を敷設し、このＡＬＣ板４４の表面にフローリング材４５を貼設して仕上げられる。一方、木根太床４２は、鉄骨材４３上に木根太４６を設け、この木根太４６上に構造板４７を介してフローリング材４５を貼設して仕上げられる。また、コンクリート床４１と木根太床４２との間は、仕切り板４８で仕切られ、この仕切り板４８の床表面部分には目地材４９が設けられている。
【００１９】
また、二階室４の上方には、楕円状の軌跡を描くレール７１が設けられ、このレール７１に沿って、装置本体７０が走行するようになされている。この装置本体７０は、レール７１の下フランジ部７１ａを挟持するように設けられたローラー７０ａをモーター７０ｂで駆動することによってレール７１に沿って走行するようになされており、この装置本体７０のレール７１の下側には、二体のロボット７を取り付けるための取付部７０ｃが延設されている。ロボット７は、この装置本体７０の取付部７０ｃに固定されて、この装置本体７０とともにレール７１に沿って移動することで、二階室４のコンクリート床４１および木根太床４２の上を歩行するようになされている。このロボット７の上半身は、子供のマネキンで構成されており、ロボット７の下半身は、図６に示すように、モーター７２によって駆動するカム７３がロボット７の脚部７４を持ち上げるようになされている。この脚部７４は、カム７３から離脱した時にカム７３によって持ち上げられていた状態から床面に自重落下してコンクリート床４１および木根太床４２に叩きつけられるようになされている。したがって、ロボット７は、二階室４のコンクリート床４１および木根太床４２の上に、脚部７４を叩きつけながら歩行し、二階室４で子供が走り回って暴れている様子を再現するようになされている。
【００２０】
次に、このようにして構成される騒音体験装置１の使用方法について説明する。
【００２１】
まず、被験者は、防音ドア２２から体験室２内に入り、座席２４に腰を掛ける。
【００２２】
体験室２では、正面のテレビ２３で通常のテレビ放送を流し、テレビ放送を見てくつろいだ状態にする。ついで、体験室２の正面の開口１０を界壁５で閉じた状態にして騒音発生室３内の電子ピアノ３１を大音量で鳴らす。これにより、体験室２では、テレビ放送を見てくつろいだ状態で隣居が騒音を発生した場合に、界壁５がどの程度の防音性を発揮するものなのかを把握することができる。
【００２３】
次に、電子ピアノ３１で大音量を鳴らした状態のまま、開口１０に設けられた界壁５を、界壁６に交換する。この交換の際、開口１０が一度開いた状態になるので、実際に隣居で発生していた騒音がどの程度のものであったかを確認することができる。そして、界壁６に交換された体験室２では、テレビ放送を見てくつろいだ状態で隣居が騒音を発生した場合に、界壁６がどの程度の防音性を発揮するものなのかを把握することができる。その後は、開口１０に設けられた界壁６を界壁５に交換する過程で、電子ピアノ３１で発生させる音色を変えて同様の騒音を確認することができる。
【００２４】
これにより、実際に居室でテレビ放送を見ている具体的な状況下で隣居が騒いだ場合に、界壁５、６の防音性がどの程度の効果を発揮するものであるのかを、具体的に把握することができることとなる。
【００２５】
次に、テレビ放送を流していたテレビ２３を二階室４のモニターに切り替えるとともに、二階室４のロボット７を作動させ、テレビ２３には、二階室４で子供を模したロボット７が暴れている状況を映し出す。これにより、体験室２では、二階室４で子供が暴れた場合に、コンクリート床４１と木根太床４２とで衝撃音の伝わり具合がどのように違うかを具体的に体感することができる。
【００２６】
このように、この騒音体験装置１によると、実際の住宅の仕様の違いによって、防音性遮音性がどのように異なるかを、同条件下で体感することができる。特に、この騒音体験装置１は、居室でテレビ放送を見ている状況下で隣居が騒いだ場合や、二階で子供が暴れた場合といった具体的な状況下で仕様の違いを体感することができるので、住宅を建てる場合に、納得のできる仕様の選択を行うことができる。
【００２７】
なお、上記した全ての操作は、体験室２の制御装置２５を操作することによって行う。
【００２８】
このようにして構成される騒音体験装置１は、展示住宅内に組み込まれたものであっても良いし、この騒音体験装置１だけが単体で構成されたものであっても良い。
【００２９】
また、本実施の形態において二階室４の床は、コンクリート床４１および木根太床４２となされているが、特にこのようなコンクリート床４１および木根太床４２に限定されるものではなく、他の仕様となされた床（図示省略）であってもよい。また、界壁５、６の仕様の違いについても、特に限定されるものではなく、必要に応じてこれら界壁５、６と仕様の異なる他の界壁（図示省略）を用いることができる。特に、この界壁５、６の場合、フレーム３４に設ける界壁５、６の部分を取り替えるだけで良いので、仕様変更については、簡単に対応することができる。
【００３０】
【発明の効果】
以上述べたように、本発明によると、体験室でテレビを見ながら二種類の界壁を開口にそれぞれ交代で取り付けて騒音発生室で騒音を発生させることで、界壁の違いによる体験室の騒音の違いを把握できる。すなわち、実際に部屋でテレビを見ている場合に、隣人が騒音を出した場合、界壁の違いでどれだけ影響があるものかといったことを具体的に把握することができる。
【００３１】
また、二階室でのロボットの様子を体験室のテレビでモニターしながら、二階室の二種類の床が踏みつけられることによる体験室の騒音の違いを把握できる。したがって、実際に二階で子供などが暴れた場合、床の違いでどれだけ影響があるものがといったことを具体的に把握することができる。
【図面の簡単な説明】
【図１】本発明に係る騒音体型装置の全体構成の概略を示す垂直断面図である。
【図２】本発明に係る騒音体験装置の体験室および騒音発生室を示す水平断面図である。
【図３】本発明に係る騒音体験装置の二階室の部分を示す断面図である。
【図４】（ａ）は取付装置の下レールの部分を示す概略図、（ｂ）は同取付装置の上レールの部分を示す概略図、（ｃ）は同取付装置のフレームの部分を示す概略図である。
【図５】（ａ）は在来木造住宅の界壁を示す断面図、（ｂ）は防音界壁を示す断面図である。
【図６】（ａ）はロボットの脚部の部分を示す側面図、（ｂ）は同左脚部を示す正面図である。
【符号の説明】
１  騒音体験装置
１０  開口
２  体験室
２１  壁面
２３  テレビ
３  騒音発生室
３１  電子ピアノ（騒音発生手段）
３０  取付装置（取付手段）
４  二階室
４１  コンクリート床
４２  木根太床
５  界壁
６  界壁
７  ロボット
７１  レール
【図１】
2004226705.tif 000003
【図２】
2004226705.tif 000004
【図３】
2004226705.tif 000005
【図４】
2004226705.tif 000006
【図５】
2004226705.tif 000007
【図６】
2004226705.tif 000008